(57)【要約】本発明は咳治療器に関し、呼吸器疾患の主要症状である咳を治療するために、バー形状に形成されて上歯と下歯に噛まれながら、舌の先端を口腔内に進入するように加圧して気道を拡張する水平バーを形成し、口腔内に流入される空気が口腔の壁面側に経由するように誘導する翼部を形成し、気道内に流入される空気を緩衝して空気の温度を変化させるとともに、この空気中に水分が含まれるようにする咳治療器を提供する。
2020534961.tif 000002
【特許請求の範囲】
【請求項１】
非貫通バー形状で、舌（１）の先端を押して舌（１）が口腔（２）内に進入されるようにするが、その上面と下面が上歯（３）と下歯（４）に噛まれて口腔（２）の外部に露出され、上歯（３）と下歯（４）との間を通じて口腔（２）内に流入された空気が水平方向に流れるように案内する水平バー（１００）と、
前記水平バー（１００）の末端で両側に突出形成され、前記水平バー（１００）に案内されて、口腔（２）内に流入される空気が口腔（２）の壁面側にバイパスして気道に流入されるように誘導する翼部（２００）と、で構成されたことを特徴とする咳治療器。
【請求項２】
前記水平バー（１００）は、
その末端に翼部（２００）を形成した下端バー（１０１）と、
前記下端バー（１０１）の上面でバー形状に突出形成されて、その末端両側に口腔（２）内に流入された空気を水平方向に通過させる通過孔（１０２ａ）を形成した上端バー（１０２）と、で構成されことを特徴とする請求項１に記載の咳治療器。
【請求項３】
前記翼部（２００）は、半円形、半楕円形または多角形の中のいずれか一つの形状に形成されたことを特徴とする請求項１に記載の咳治療器。
【請求項４】
前記翼部（２００）は、その外面に少なくとも１つの経由溝（２０１）をさらに形成したことを特徴とする請求項１または３に記載の咳治療器。
【発明の詳細な説明】
【技術分野】
【０００１】
本発明は咳治療器に関するものであり、より詳しくは、上歯と下歯に噛まれる水平バーの末端に、口腔内に流入される空気が口腔の壁面側に経由するように誘導する翼部を形成し、気道内に流入される空気の温度を変化させるとともに、この空気内に水分が含まれるようにする咳治療器に関するものである。
【背景技術】
【０００２】
一般に、風邪はウイルス及び細菌によって鼻と首の部分を含む上部呼吸器系に感染が発生する症状で、くしゃみ、鼻づまり、鼻水、咽頭痛、咳、微熱、頭痛及び筋肉痛のような症状が発生する。
【０００３】
特に、風邪を引くと、感染などの各種原因により、扁桃と喉頭などに炎症と熱が発生する。それにより、気道の周辺が腫れ上がるとともに狭くなって形状の変形が発生し、それにより、痰や唾液が肺に流入され、特に、舌と喉頭蓋との間にある喉頭蓋谷にかかったり集まって溢れやすいことから咳が誘発され、痛みを訴えることになる。現在市場では気管支拡張剤またはパッチ形態で用いられているが、組成物は、好転状態が不明確であり、迅速な対応に限界があるという問題点がある。
【０００４】
また、頻繁な咳は炎症と発熱部位を刺激し続け、再び神経反応を起こして絶えない痙攣性咳に悪化され、長引きすると肺疾患に進行される危険があるが、複合的な誘発要因により治療自体が難しいという問題点があった。
【０００５】
特に、咳の過程で発熱と痛みにより反射的に口を開けて口呼吸をすることになる。これは気道の内側に水分蒸発が発生して気道を乾燥状態にする。ここで注目すべきことは、水分が蒸発されながら発熱や炎症部位に水分が乾く刺激を与え、唾を飲み込むと唾に再び浸しながら再びひりひりした痛みを含む刺激を与える。これは、痛みを悪化させ、神経を刺激して咳を再誘発させる。それにより、発熱や炎症が悪化して咳が長引きする。これを解決するための方法として、暖かい水を常に摂取する方法を薦めているが、一時的な方法であって、咳が続く問題が残っている。
【０００６】
現在、治療に用いられる咳薬は鎮咳・去痰薬であり、大体麻酔薬に属する。
【０００７】
中枢作用性鎮咳剤であるコデナル（Codenal Tab.）（三亜薬品）の主成分であるコデインは微量の薬物成分であり、年齢によって服用量に制約があり、副作用に注意しなければならない。
【０００８】
また、強い鎮咳剤を服用することは、むしろ逆効果を招く虞があると知られており、薬や薬物治療に負担がある妊婦、子供、抗がん患者など影響を受けやすい層には他の選択肢の咳の治療が切実な状況である。
【０００９】
現在、気道が狭くなったり、空気の流れによる症状を解決するための器具として、いびき防止器具が開示されており、いびきは睡眠時に咽喉部が腫れ上がると、気道を通過する空気の流れが妨害されて呼吸器官自体が震えながら振動騒音が発生し、それで、いびきをすることになる。
【００１０】
従って、特許文献１（ＫＲ１０−２０１５−００１０４５０Ａ）の気道内に空気が注入されるようにするいびき防止器具によれば、舌の上面に密着されて舌を包む舌収容本体と、舌収容本体の上面で上方に突出形成されて口蓋に密着される離隔部とで構成される。
【００１１】
ここで、舌収容本体はアーチ状に形成されて舌の上面に密着され、その状態で舌を下方に押して加圧する。
【００１２】
また、前記離隔部の密着部分は口蓋に密着された状態で舌収容本体を下方へ押す。
【００１３】
それで、口蓋と舌収容本体との間に空間が形成され、この空間を通じて口の中に流入された空気が気道内に迅速に通過されて、着用者の呼吸を円滑にする。
【００１４】
しかしながら、前記のような特許文献１（ＫＲ１０−２０１５−００１０４５０Ａ）は、気道に炎症と発熱がある場合、口蓋と舌収容本体との間の空間を通じて外部の空気がそのまま通過されて気道の乾燥を引き起こし、特に、温度差の強い空気と圧力の大きい空気が気道に摩擦されて咳を誘発する。それにより、炎症及び発熱、気道が狭くなる腫れを悪化させる。従って、気道に炎症と発熱がある場合、いびきと咳の治療の両方に使用することができないという問題点がある。
【発明の概要】
【発明が解決しようとする課題】
【００１５】
本発明は、上述のような問題点を解決するためのものであり、本発明はバー形状に形成されて上歯と下歯に噛まれながら、舌の先端を口腔内に進入するように加圧して気道を拡張する水平バーを形成し、口腔内に流入される空気が口腔の壁面側に経由するように誘導する翼部を形成し、気道内に流入される空気の温度を変化させるとともに、この空気中に水分が含まれるようにする咳治療器を提供することにある。
【課題を解決するための手段】
【００１６】
前記のような本発明の目的を達成するために、本発明による咳治療器は、非貫通バー形状で、舌の先端を押して舌が口腔内に進入されるようにするが、その上面と下面が上歯と下歯に噛まれて、口腔の外部に露出され、上歯と下歯との間を通じて口腔内に流入された空気が水平方向に流れるように案内する水平バーと、前記水平バーの末端で両側に突出形成され、前記水平バーに案内されて口腔内に流入される空気が口腔の壁面側にバイパスして気道に流入されるように誘導する翼部とで構成されたことを特徴とする。
【００１７】
本発明による咳治療器において、前記水平バーは、その末端に翼部を形成した下端バーと、前記下端バーの上面でバー形状に突出形成されて、その末端の両側に口腔内に流入された空気を水平方向に通過させる通過孔を形成した上端バーとで構成されたことを特徴とする。
【００１８】
本発明による咳治療器において、前記翼部は、半円形、半楕円形または多角形の中のいずれか一つの形状に形成されたことを特徴とする。
【００１９】
本発明による咳治療器において、前記翼部は、その外面に少なくとも１つ以上の経由溝をさらに形成したことを特徴とする。
【発明の効果】
【００２０】
本発明によれば、第一に、気道の拡張を通じて咽喉部の開放を保持させると、呼吸が活発になるので、炎症部位の発熱を効果的に下げることができる。
【００２１】
第二に、舌が水平バーによって後方に押されると、気道の詰まりの主な原因である舌と喉頭蓋との間にある喉頭蓋谷の空間が狭くなって分泌物がかかったり集まって溢れることを防止することができる。
【００２２】
第三に、水平バーによって開かれた下顎の角度と舌の後方の押されは口腔内で生成される分泌物が気道の方向に流れずに、口腔内に集まるように一時的に遮断して分泌物による咳の誘発を解消することができる。
【００２３】
第四に、翼部によって流入空気を壁面側にバイパスさせると、空気による気道の乾燥、急激な温度差、空気の大きな摩擦などの咳誘発要因を解消して、安定した呼吸を保持することができる。
【００２４】
第五に、室温２５℃で、呼吸空気の温度は平均３２℃程度に上昇保持され、口腔内の表面温度は体温で約３４℃に徐々に下がって冷たくないように発熱を下げることで咳の治療と再発を防止するという効果を奏することができる。
【図面の簡単な説明】
【００２５】
【図１】本発明による咳治療器を示す斜視図。
【図２】本発明による咳治療器の平面図。
【図３】本発明による咳治療器を口に固定した状態を示した側面図。
【図４】本発明による咳治療器の翼部の他の形態を示す実施例。
【発明を実施するための形態】
【００２６】
以下、本発明の実施例を添付図面を参照してさらに詳しく説明する。
【００２７】
図１〜図４によれば、水平バー１００は非貫通バー形状で、舌１の先端を押して舌１が口腔２内に進入されるようにするが、その上面及び下面が上歯３と下歯４に噛まれて口腔２の外部に露出され、上歯３と下歯４との間を通じて口腔２内に流入された空気が水平方向に流れるように案内する。
【００２８】
前記水平バー１００は非貫通バー形状に形成され、この水平バー１００に衝突した空気が前記水平バー１００を基準として両側に分散される。
【００２９】
前記水平バー１００は、下顎が前記水平バー１００を基準としてその下部に位置するようにして、口腔２で生成される分泌物が気道の方向に流れずに、口腔２内に集まるように誘導し、この時、前記口腔２内に集められた分泌物は唾液を飲み込む時に気道内に唾と一緒に飲み込まれる。
【００３０】
前記水平バー１００は、歯を保護するために、シリコンまたはスポンジ材質であることが好ましい。
【００３１】
前記水平バー１００は、その形状と断面が四角形であることが好ましいが、使用者によって多角形状に形成されてもよい。
【００３２】
前記水平バー１００は、素材の種類によって噛まれる歯が滑らかでなく、上端面と下端面に１つ以上の溝や滑り止め面を形成することができる。
【００３３】
前記水平バー１００は、その末端に翼部２００を形成した下端バー１０１と、前記下端バー１０１の上面でバー形状に突出形成されて、その末端両側に口腔２内に流入された空気を水平方向に通過させる通過孔１０２ａを形成した上端バー１０２とで構成される。
【００３４】
前記下端バー１０１は下歯４に噛まれ、前記上端バー１０２は上歯３に噛まれる。
【００３５】
前記通過孔１０２ａは、前記上端バー１０２に沿って水平に移動する空気をそのまま通過させて、この空気が舌１の表面に衝突するように誘導する。
【００３６】
前記通過孔１０２ａは、前記水平バー１００のいずれかの位置が上歯３と下歯４との間に噛まれても呼吸を可能にして、使用者の安全と使用上の便利性を向上する。
【００３７】
翼部２００は、前記水平バー１００の末端で両側に突出形成され、口腔２内に進入する時に一緒に曲がったりねじれないように相互耐久力を補強する構造に形成される。
【００３８】
翼部２００は、前記水平バー１００に案内されて、口腔２内に流入される空気が口腔２の壁面側にバイパスして気道に流入されるように誘導する。
【００３９】
前記翼部２００は、気道に流入される空気の流れを遅延させて、この空気の温度が口腔２内の温度に対応するように変化されながら、同時に水分を含む。
【００４０】
この時、室温２５℃で、呼吸空気の温度は約３２℃に上昇保持され、口腔２内の表面温度は体温で約３４℃に徐々に下がって発熱を下げる。
【００４１】
ここで、前記翼部２００は、温度の変化と水分蒸発が口腔２の前面から発生されるように噛まれる歯に近く形成されることが好ましい。
【００４２】
前記翼部２００は、前記下端バー１０１と同じ厚さで形成することが好ましい。
【００４３】
前記翼部２００は口腔２の壁面側に干渉されないように、口腔２の壁面側から所定距離離隔して形成される。
【００４４】
前記翼部２００は、半円形、半楕円形または多角形の中のいずれか一つの形状に形成される。
【００４５】
前記翼部２００は、その外面に少なくとも１つの経由溝２０１をさらに形成する。
【００４６】
前記経由溝２０１は、前記翼部２００の外面で流れる外部空気の進入を許可して、口腔２内の壁面側に移動する空気の流れを遅延させて効率を増大する。
【００４７】
前記のように構成される本発明による咳治療器は以下の過程のように用いられる。
【００４８】
まず、正しい姿勢を保持し、水平バー１００を把持した状態で、この水平バー１００の末端が舌の先端に当接するようにし、その状態で舌１の先端を加圧して舌１が口腔２内に押されながら、気道の形状を変形させて、気道を拡張するようにする（Ｓ１００）。
【００４９】
そして、舌１の先端を加圧している水平バー１００の上面及び下面を上歯３と下歯４で噛んで水平バー１００が上歯３と下歯４との間に固定されるようにすることで、この水平バー１００の末端に形成された翼部２００が口腔２内に位置される（Ｓ２００）。
【００５０】
その後、着用者が呼吸をすると、この着用者の上歯３と下歯４との間を通じて外部空気が口腔２内に流入され、この時、この外部空気は、前記水平バー１００に沿って移動している途中に前記翼部２００に案内されて口腔２内の壁面側にバイパスしながら口腔２内の温度に対応するように変化するとともに、水分を含んだ状態で気道に供給される（Ｓ３００）。
【００５１】
ここで、舌１が水平バー１００によって後方に押されると、気道詰まりの主な原因である喉頭蓋谷の空間を狭くして分泌物がかかったり、集まって溢れることが防止され、水平バー１００によって開かれた下顎の角度と舌１の後方押されは口腔２内で生成される分泌物が気道の方向に流れずに、口腔２内に集まるように遮断する。
【００５２】
また、前記水平バー１００は、上端バー１０２と下端バー１０１で外部空気の流れを両側に分散して案内し、この時、下端バー１０１に沿って移動する外部空気は、前記翼部２００によって口腔２内の壁面側にバイパスしながらその温度が変化され、水分を含んだ状態で気道に流入される。
【００５３】
特に、前記翼部２００の外面には、少なくとも１つの経由溝２０１が形成されて、前記翼部２０１の外面に沿って流れていた外部空気が経由溝２０１に進入されることにより、口腔２内の壁面側に移動していた空気の流れがさらに遅れ、それにより、外部空気が口腔２内の温度に対応するように変化しながら水分を含む。
【００５４】
また、前記上端バー１０２に沿って移動する外部空気は前記通過孔１０２αを通じてそのまま通過されて舌１の表面に衝突され、その後、舌１の両側方向及び上方に広がってその温度が変化され、水分を含んだ状態で気道に流入される。
【００５５】
即ち、前記水平バー１００の上端バー１０２及び下端バー１０１に案内されて気道に流入された外部空気は気道の乾燥、温度差、空気の大きな摩擦などの刺激なしに、また冷たくないように発熱部位の熱を下げて気道が狭くなる腫れや炎症の回復を助けて咳が自然に落ち着く。
【００５６】
ここで、本発明の咳治療器を口腔２内に位置させて、咳の治療を行う時間は１分〜１０分以内であることが好ましい。
【００５７】
以上では、口腔２内に翼部２００が位置するように水平バー１００を噛んで固定した状態で呼吸をしながら咳の治療を行う例を挙げて説明したが、着用者によって水平バー１００を噛んで固定した状態で呼吸をする過程で咳が誘発される場合、翼部２００を口腔２内から離脱して咳をした後、前記と同じ方法で翼部２００を口腔２内に位置させて咳の治療を行う。
【００５８】
この時、前記咳治療器は、前記水平バー１００及び翼部２００を包んでカバーする衛生キャップ（図示せず）をかぶって用いた後、他の衛生キャップ（図示せず）を繰り返しかぶせて用いることができ、衛生キャップは使い捨てであることが好ましい。
【００５９】
また、咳治療器を繰り返して用いる場合、前記水平バー１００及び翼部２００を包んでカバーするネックレス形態の収納ケース（図示せず）に咳治療器を収容して、咳治療器を携帯して用いることができる。
【００６０】
前記のように、口腔２内の壁面側に空気が経由するように誘導する翼部２００が口腔２内に位置するように水平バー１００を上歯３と下歯４で噛んで固定する構造は、水平バー１００の末端に押される舌１が口腔２内に進入されながら気道の形状を変形させて気道が拡張され、この拡張された気道に空気が円滑に供給されて呼吸が活発になるので、炎症部位の発熱を効果的に下げることができ、特に、舌１が水平バー１００によって後方に押されると、気道の詰まりの主な原因である喉頭蓋谷の空間を狭くして分泌物がかかったり集まって溢れることを防止し、開かれた下顎の角度と舌１の後方押されは口腔２内で生成される分泌物が気道方向に流れずに、口腔２内に集まるように遮断して分泌物による咳の誘発を解消することができ、上歯３と下歯４との間を通じて口腔２内に供給される空気が翼部２００によって口腔２の壁面側にバイパスされると、空気による気道の乾燥、温度差、空気の摩擦などの咳誘発要素を解消して、安定した呼吸を保持することができ、室温２５℃で、呼吸空気の温度は約３２℃に上昇保持され、口腔２内の表面温度は、体温で約３４℃に徐々に下がって扁桃または喉頭などの発熱部位に摩擦されて発熱が抑制されるので、咳症状を鎮静または緩和させて呼吸器疾患の好転を期待することができる。
【００６１】
以上で説明した本発明による咳治療器は、前述の実施例に限定されず、特許請求範囲で請求する本発明の要旨を逸脱することなく、本発明が属する分野において通常の知識を有する者であれば、誰でも多様に変更して実施することができる範囲までその技術的精神がある。
【図１】
2020534961.tif 000003
【図２】
2020534961.tif 000004
【図３】
2020534961.tif 000005
【図４（ａ）】
2020534961.tif 000006
【図４（ｂ）】
2020534961.tif 000007
【国際調査報告】
2020534961.tif 000008
2020534961.tif 000009
2020534961.tif 000010
2020534961.tif 000011